(57)【要約】【課題】本発明は、例えば、電子部品の電磁波を遮蔽するプレスフィット基板用ケージに関し、ケージをプリント基板の取付孔に圧入される際の、押圧力の横方向への逃げを防止して効率的に押圧するようにすることが課題である。【解決手段】ケージ本体と該ケージ本体を閉蓋するケージ蓋とからなり、前記ケージ蓋は天板と該天板の側端部から略直交して屈曲された側壁とで断面コ字形にされて形成され、前記ケージ本体の下部にはプリント基板の取付孔に圧入して固定される端子が設けられ、前記ケージ蓋の側壁が前記ケージ本体の側壁に嵌合して組立てられるケージ１であって、前記ケージ本体３の側壁３ｂに、該側壁と略直交する方向に突出されるとともに、前記ケージ蓋の側壁の下端面が当接し、且つ、その当接した際に前記ケージ蓋の天板の下面とケージ本体の側壁の上端面との間に間隙ができる位置にした、押圧力伝達用の突起３ｇを設けた。【選択図】    図１
2004235529.tif 000002
【特許請求の範囲】
【請求項１】
ケージ本体と該ケージ本体を閉蓋するケージ蓋とからなり、前記ケージ蓋は天板と該天板の側端部から略直交して屈曲された側壁とで断面コ字形にされて形成され、前記ケージ本体の下部にはプリント基板の取付孔に圧入して固定される端子が設けられ、前記ケージ蓋の側壁が前記ケージ本体の側壁に嵌合して組立てられるケージであって、
前記ケージ本体の側壁に、該側壁と略直交する方向に突出されるとともに、前記ケージ蓋の側壁の下端面が当接し、且つ、その当接した際に前記ケージ蓋の天板の下面とケージ本体の側壁の上端面との間に間隙ができる位置にした、押圧力伝達用の突起を設けたこと、
を特徴とするプレスフィット基板用ケージ。
【発明の詳細な説明】
【０００１】
【発明の属する技術分野】
本発明は、電子部品の電磁波を遮蔽するプレスフィット基板用ケージに係り、詳しくは、プリント基板上に載置されるモジュール等の電子部品をシールドするとともに、該プリント基板の取付孔に圧入されるケージの端子により当該ケージをプリント基板に固定するプレスフィット基板用ケージに関する。
【０００２】
【従来の技術】
従来において、プリント基板上に固定されるシールドケース（以下、本願ではケージと称する）は、ケージに位置決め爪を設けてプリント基板に装着し、当該プリント基板とこのケージの側壁部とを半田付けして、固定したものが知られている（例えば、特許文献１参照。）。
【０００３】
【特許文献１】
特開平１１−３０７９７６号公報（第１頁乃至第３頁、第１図乃至第４図）
【０００４】
【発明が解決しようとする課題】
しかしながら、ケージは、通常、ケージ本体とこれを上から閉蓋しカバーするケージ蓋との２部品からなり、プリント基板に装着する工数削減のために、前記２部品を予め組み立てて、そのケージをプリント基板に設けられた取付孔にケージ本体に垂設された端子を圧入することで固定し、半田付けを省いた組立構造のものが提案されている。
【０００５】
その場合に、前記ケージをプリント基板に圧入する作業において、例えば、押圧治具でケージを上から押圧すると、その押圧力は、上側のケージ蓋の天板部から、下側のケージ本体の側壁部に伝達して、ケージ本体に垂設された端子に伝達する。
【０００６】
前記押圧力の伝達において、上側のケージ蓋から下側のケージ本体の側壁に伝達される際に、断面形状がコの字に屈曲された天板と側壁との角部分にはＲ部があるため、そのＲ部でケージ本体における側壁部の上端面を押すことになって、押圧力が横方向に逃げやすく、治具の押圧力が効率的に下部に伝達されないという課題がある。本発明に係るプレスフィット基板用ケージは、このようなケージをプリント基板に装着する際の課題を解決するために提案されたものである。
【０００７】
【課題を解決するための手段】
上記課題を解決するために、本発明に係るプレスフィット基板用ケージの要旨は、ケージ本体と該ケージ本体を閉蓋するケージ蓋とからなり、前記ケージ蓋は天板と該天板の側端部から略直交して屈曲された側壁とで断面コ字形にされて形成され、前記ケージ本体の下部にはプリント基板の取付孔に圧入して固定される端子が設けられ、前記ケージ蓋の側壁が前記ケージ本体の側壁に嵌合して組立てられるケージであって、前記ケージ本体の側壁に、該側壁と略直交する方向に突出されるとともに、前記ケージ蓋の側壁の下端面が当接し、且つ、その当接した際に前記ケージ蓋の天板の下面とケージ本体の側壁の上端面との間に間隙ができる位置にした、押圧力伝達用の突起を設けたことである。
【０００８】
本発明に係るプレスフィット基板用ケージによれば、ケージ本体の側壁に設けた突起が、ケージ蓋の側壁の下端面に直接的に当接して、ケージ本体の端子を押圧する。よって、プリント基板にこのケージを押圧して固定する治具の押圧力が、効率的にケージ本体に伝達されるようになる。
また、ケージ蓋をケージ本体に閉蓋させた際に、前記突起の上面と前記ケージ蓋の側壁の下端面とが直接的に当接することで、前記ケージ蓋の天板の下面とケージ本体の側壁の上端面との間に間隙ができるので、治具による押圧力が全て前記突起に伝達されるようになる。
【０００９】
【発明の実施の形態】
次に、本発明に係るプレスフィット基板用ケージ１について、図面を参照して説明する。前記プレスフィット基板用ケージ１は、図１乃至図３に示すように、プリント基板（図示せず）に固定されて電子部品や電気的接続部をシールドするものである。そして、その構成は、金属製のケージ蓋２とケージ本体３とからなる。
【００１０】
前記ケージ蓋２は、蓋材となる天板２ａと、該天板２ａの短手方向における側端部の両側から略直交して屈曲された左右の側壁２ｂとで、略断面コ字形にされて形成されている。また、このケージ蓋２の長手方向の端部から、ケージの後側面をカバーする後側壁２ｃが垂設され、ケージ１前方のモジュール挿入口を形成する逆コ字形の挿入壁２ｄが設けられている。
【００１１】
前記ケージ本体３は、細長い矩形状体の底板３ａから、短手方向の両端部から上方に側壁３ｂ，３ｃが立設され、その角部からは、下方向に圧入して固定させるプレスフィット用の端子３ｄが複数個垂設されている。
【００１２】
また、プリント基板に対する取付位置決め用の爪３ｅが複数個垂設されている。前記底板３ａには、プリント基板上に載置されたコンタクト等をケージ１内部に収容するための開口部３ｆが大きく設けられている。
【００１３】
更に、図１乃至図３及び図６に示すように、前記ケージ本体３の側壁３ｂ，３ｃには、本発明の要旨となる、押圧力伝達用の突起３ｇがそれぞれに、４箇所ずつ設けられている。この実施例では、前記側壁３ｂ，３ｃにおいて、当該側壁と略直交する方向であってケージ外側に切り起こされて、突出されている。
【００１４】
そして、前記突起３ｇの上下方向の位置は、図６に示すように、ケージ蓋２の側壁２ｂの下端面２ｅが、前記突起３ｇの上端面に当接した際に、前記ケージ蓋２の天板の下面２ｆとケージ本体３の側壁３ｂ，３ｃの上端面３ｈとの間に間隙αができる位置にされている。
【００１５】
また、図６（Ｂ）に示すように、前記突起３ｇの上方に設けられた切り起こし部は、当該突起３ｇに当接している左右の側壁２ｂの一部分を上下で挟んで抜け止めとするためのストッパー３ｉである。
【００１６】
このようにして成る本発明のプレスフィット基板用ケージ１をプリント基板に固定する方法を説明する。図４乃至図５に示すように、このケージ１を、ケージ本体３にケージ蓋２を嵌合させて、必要箇所に半田付けをして組立てる。
【００１７】
そして、押圧治具４を、ケージ１のケージ蓋２に当てる。この押圧治具４には、長手方向に沿って凹部が設けられており、その凹部に前記ケージ蓋２がほぼ隙間無く収まるようになっている。この状態で、プリント基板５の所定の位置に移動して、図示するように前記プリント基板５に向けて押圧する。
【００１８】
これにより、図６（Ａ），（Ｂ）に示すように、押圧治具４の押圧力Ｆが、ケージ蓋２の左右の側壁２ｂを介して、下端面２ｅから突起３ｇに伝達し、更に、ケージ本体３の端子３ｄに伝達される。
【００１９】
この端子３ｄは、図５に示すように、全体がスペード型に膨らみ、その中央部に空所があり、弾性力がある。よって、プリント基板５の取付孔（図示せず）に差し込まれて貫通して元に膨らみ、上方に抜け止めされる。また、爪３ｅがプリント基板の位置決め孔（図示せず）に挿入されることで、ケージ１が位置決めされる。
【００２０】
前記突起３ｇは、上下方向において、上端面３ｈの位置よりも前記端子３ｄに対して近くにあるので、前記上端面３ｈに押圧力Ｆが加わった場合に比較して、側壁３ｂ，３ｃの座屈が発生し難く、確実に押圧力Ｆがこの端子３ｄに伝達される。
【００２１】
こうして、ケージ１が、プリント基板の所定の位置に固定される。そして、ケージ１の前方の挿入壁２ｄで形成されている開口部から、モジュール等を差し込んで、ケ−ジ１内に収容されたプリント基板５上のコネクタ等に接続するものである。
【００２２】
【発明の効果】
上記説明したように、本発明に係るプレスフィット基板用ケージは、ケージ本体と該ケージ本体を閉蓋するケージ蓋とからなり、前記ケージ蓋は天板と該天板の側端部から略直交して屈曲された側壁とで断面コ字形にされて形成され、前記ケージ本体の下部にはプリント基板の取付孔に圧入して固定される端子が設けられ、前記ケージ蓋の側壁が前記ケージ本体の側壁に嵌合して組立てられるケージであって、前記ケージ本体の側壁に、該側壁と略直交する方向に突出されるとともに、前記ケージ蓋の側壁の下端面が当接し、且つ、その当接した際に前記ケージ蓋の天板の下面とケージ本体の側壁の上端面との間に間隙ができる位置にした、押圧力伝達用の突起を設けたので、ケージ蓋の側壁における下端面で直接的に突起の上端面に当接することになり、押圧力の横方向への逃げが無くなって、効率的であると共に、側壁の座屈が発生し難く、確実に押圧力がケージ本体の端子に伝達されるようになると言う優れた効果を奏するものである。
【図面の簡単な説明】
【図１】本発明に係るプレスフィット基板用ケージ１を上方から見た斜視図である。
【図２】同本発明に係るプレスフィット基板用ケージ１を下方から見た斜視図である。
【図３】同本発明に係るプレスフィット基板用ケージ１の側面図（Ａ）、同その一部拡大図（Ｂ）と、突起３ｇを下から見た拡大図（Ｃ）である。
【図４】同本発明に係るプレスフィット基板用ケージ１の、側面から見た使用状態説明図である。
【図５】同本発明に係るプレスフィット基板用ケージ１の、正面から見た使用状態説明図である。
【図６】同本発明に係るプレスフィット基板用ケージ１に押圧力Ｆが加えられた際の押圧力Ｆの伝達を示す説明図（Ａ）と、同図５におけるＸ−Ｘ線に沿った断面図（Ｂ）である。
【符号の説明】
１      プレスフィット基板用ケージ、  ２      ケージ蓋、
２ａ    天板、                        ２ｂ    左右の側壁、
２ｃ    後側壁、                      ２ｄ    挿入壁、
２ｅ    下端面、                      ３  ケージ本体、
３ａ    底板、                        ３ｂ，３ｃ    側壁、
３ｄ    端子、                        ３ｅ    爪、
３ｆ    開口部、                      ３ｇ    突起、
３ｈ    上端面、                      ３ｉ    ストッパー、
４      押圧治具、                    ５  プリント基板。
【図１】
2004235529.tif 000003
【図２】
2004235529.tif 000004
【図３】
2004235529.tif 000005
【図４】
2004235529.tif 000006
【図５】
2004235529.tif 000007
【図６】
2004235529.tif 000008